(57)【要約】【課題】ステムなど（ステム保護筒状部）と係止して押下げ操作部の下方への移動を阻止するＣ字状断面の内容物放出操作阻止用ストッパーを引っ張るのではなく、その拡開操作によりはじめてストッパー係止状態が解除されるようにして、ストッパーの取外し操作の簡便化を維持しつつ、内容物放出操作阻止の確実化を図る。【解決手段】ステム保護筒状部５はその外周面に縦溝状部５ａを備え、ストッパー６は、縦溝状部５ａに対応した一対の縦凸状部６ｄを備えるＣ字状被係止部６ａと、当該Ｃ字状被係止部から前開口部分６ｂとは反対側の後方向に延びる着脱操作片部６ｅとを備えている。凹状の縦溝状部５ａと縦凸状部６ｄとの係止作用により筒状部５からストッパー６が外れるのを阻止する。ストッパー６を取り外すには、着脱操作片部６ｅをＡ方向に把持して、開口部分６ｂをＢ方向へ十分拡開させた状態でストッパー６を引き出す。【選択図】  図２
2013018503.tif 000002
【特許請求の範囲】
【請求項１】
横断面がＣ字状で上下方向の開口部分を備えたＣ字状被係止部および、当該Ｃ字状被係止部から当該開口部分とは反対側の後方向に延びる着脱操作片部からなり、内容物放出用の押下げ操作部の移動空間域に対応の筒状部に取り付けられた状態で、当該押下げ操作部の下方への移動を阻止する内容物放出操作阻止用ストッパーにおいて、
前記Ｃ字状被係止部は、
前記筒状部の外周面に形成された凹状部または凸状部の係止作用部に対応した、凸状部または凹状部からなる被係止作用部を備え、
前記着脱操作片部は、
前記Ｃ字状被係止部の周方向に離間した各外周面部分からそれぞれ独立した形で後方向に延び、
前記Ｃ字状被係止部および前記操作片部は、
当該操作片部それぞれの自由端側同士を互いに近づける内方への変位操作により、当該Ｃ字状被係止部の一対の自由端側がそれぞれ前記筒状部から離れる方向に移動して前記係止作用部と前記被係止作用部との係止状態を解除する、態様に設定されている、
ことを特徴とする内容物放出操作阻止用ストッパー。
【請求項２】
前記被係止作用部は、
前記Ｃ字状被係止部の一対の自由端側それぞれの上下方向に形成されている、
ことを特徴とする請求項１記載の内容物放出操作阻止用ストッパー。
【請求項３】
請求項１または請求項２に記載の内容物放出操作阻止用ストッパーが取外し可能な態様で取り付けられる筒状部を、内容物放出用の押下げ操作部の移動空間域に有する内容物放出操作機構において、
前記筒状部は、
その外周面に、前記内容物放出操作阻止用ストッパーに形成された凸状部または凹状部の被係止作用部に対応した、凹状部または凸状部からなる係止作用部を備えている、
ことを特徴とする内容物放出操作機構。
【請求項４】
前記筒状部は、
前記押下げ操作部とともに上下動して内容物通過用の内部空間域を有するステムの外側に設けられたステム保護筒状部である、
ことを特徴とする請求項３記載の内容物放出操作機構。
【請求項５】
前記係止作用部は、
前記筒状部の外周面の周方向全体に形成されている、
ことを特徴とする請求項３または４記載の内容物放出操作機構。
【請求項６】
請求項１もしくは２に記載の内容物放出操作阻止用ストッパーまたは請求項３乃至５のいずれか１項に記載の内容物放出操作機構を備え、かつ、容器本体に内容物を収容した、
ことを特徴とするポンプ式製品。
【請求項７】
請求項１もしくは２に記載の内容物放出操作阻止用ストッパーまたは請求項３乃至５のいずれか１項に記載の内容物放出操作機構を備え、かつ、容器本体に噴射剤および内容物を収容した、
ことを特徴とするエアゾール式製品。
【発明の詳細な説明】
【技術分野】
【０００１】
本発明は、ポンプ式製品およびエアゾール式製品における押下げ操作部の下方への移動を阻止する内容物放出操作阻止用ストッパー（以下、必要に応じて単に「ストッパー」という。）に関する。
【０００２】
すなわち、内容物放出用の押下げ操作部の移動空間域の筒状部に取外し可能な態様により取り付けられてその横断面がＣ字状で上下方向の開口部分を備えたＣ字状被係止部および、当該Ｃ字状被係止部から当該開口部分とは反対側の後方向に延びる着脱操作片部からなる、内容物放出操作阻止用ストッパーに関する。
【０００３】
特に、着脱操作片部を一対の離間片部で構成して、静止モードのときに設定済みの上記筒状部とＣ字状被係止部との係止状態自体が、当該離間片部同士を近づける操作によって解除されるものである。
【０００４】
本明細書では、Ｃ字状被係止部の開口部分側（図１(c)の左側）を「前」といい、これとは反対の着脱操作片部側（図１(c)の右側）を「後」という。
【背景技術】
【０００５】
従来、ポンプ式製品などにおける押下げ操作部の下方への移動を阻止し、これにより利用者の内容物放出操作を「不能」とする各種ストッパーが提案されている（例えば特許文献１参照）。
【０００６】
このストッパーは、押下げ操作部と一体のステムまたはその周回保護部（以下、必要に応じて「ステムなど」という。）に静止モードで取り付けられるＣ字状被係止部と、その後側（Ｃ字状被係止部の開口部分とは反対側）に形成された着脱操作用の片部と、からなっている。
【０００７】
このＣ字状被係止部はポリプロピレン，ポリエチレンなどのプラスチック製のものであって、いわゆる弾性を有し、拡開変形性状や、拡開後の形状から初期形状への復帰性状を備えている。
【０００８】
そして、利用者は、内容物放出操作を「不能」とする場合には着脱操作用の片部を持ってストッパー全体をステムなどに挿し込み、また、この不能状態を解除するには同様に当該片部を持ってストッパー全体を外側に引き出している。
【０００９】
ここでステムなどに挿し込まれたＣ字状被係止部はその内周面全体がステムなどの外周面に当接している。
【００１０】
このストッパーとステムなどとの当接状態は、利用者が着脱操作用の片部を持って外側に引き出してＣ字状被係止部を拡開させることにより比較的簡単に解除される。
【先行技術文献】
【特許文献】
【００１１】
【特許文献１】特開２０１０−１７３７２０号公報
【発明の概要】
【発明が解決しようとする課題】
【００１２】
このように、従来のステムなどに挿し込む形の内容物放出操作阻止用ストッパーは、そのＣ字状被係止部の内周面とステムなどの外周面とのいわばソフトな面接触の態様で、当該ステムなどに係止されている。
【００１３】
そのため、内容物放出操作阻止用ストッパーとステムなどとの係止状態が、当該ストッパーの一部である着脱操作片部の外側への不用意な引き出しにより比較的簡単に解除されてしまうという問題点があった。
【００１４】
例えば幼児などが遊び感覚で着脱操作片部を外側に引っ張って、内容物放出操作阻止用ストッパーをステムなどから取り外してしまうことがありえる。
【００１５】
そこで本発明では、着脱操作片部を単に引っ張るだけでは内容物放出操作阻止用ストッパーとステムなどとの係止状態が解除されないようにし、かつ、この解除操作自体の利便性を担保して、内容物放出操作阻止の確実化および内容物放出操作阻止用ストッパーの取外し操作の簡便化をともに図ることを目的とする。
【００１６】
本発明は、以上の課題を次のようにして解決する。
（１）横断面がＣ字状で上下方向の開口部分（例えば後述の前開口部分６ｂ）を備えたＣ字状被係止部（例えば後述のＣ字状被係止部６ａ）および、当該Ｃ字状被係止部から当該開口部分とは反対側の後方向に延びる着脱操作片部（例えば後述の着脱操作片部６ｅ）からなり、内容物放出用の押下げ操作部の移動空間域に対応の筒状部（例えば後述のステム保護筒状部５）に取り付けられた状態で、当該押下げ操作部の下方への移動を阻止する内容物放出操作阻止用ストッパー（例えば後述の内容物放出操作阻止用ストッパー６）において、
前記Ｃ字状被係止部は、
前記筒状部の外周面に形成された凹状部または凸状部の係止作用部（例えば後述の縦溝状部５ａ）に対応した、凸状部または凹状部からなる被係止作用部（例えば後述の一対の縦凸状部６ｄ）を備え、
前記着脱操作片部は、
前記Ｃ字状被係止部の周方向に離間した各外周面部分からそれぞれ独立した形で後方向に延び、
前記Ｃ字状被係止部および前記操作片部は、
当該操作片部それぞれの自由端側同士を互いに近づける内方への変位操作により、当該Ｃ字状被係止部の一対の自由端側（例えば後述の係止用片部６ｃ）がそれぞれ前記筒状部から離れる方向に移動して前記係止作用部と前記被係止作用部との係止状態を解除する、態様に設定されている。
（２）上記（１）において、
前記被係止作用部は、
前記Ｃ字状被係止部の一対の自由端側それぞれの上下方向に形成されている。
（３）上記（１）または（２）に記載の内容物放出操作阻止用ストッパーが取外し可能な態様で取り付けられる筒状部を、内容物放出用の押下げ操作部の移動空間域に有する内容物放出操作機構において、
前記筒状部は、
その外周面に、前記内容物放出操作阻止用ストッパーに形成された凸状部または凹状部の被係止作用部に対応した、凹状部または凸状部からなる係止作用部（例えば後述の縦溝状部５ａ）を備えている。
（４）上記（３）において、
前記筒状部は、
前記押下げ操作部とともに上下動して内容物通過用の内部空間域を有するステム（例えば後述のステム２）の外側に設けられたステム保護筒状部（例えば後述のステム保護筒状部５）である。
（５）上記（３），（４）において、
前記係止作用部は、
前記筒状部の外周面の周方向全体に形成されている。
【００１７】
本発明は、以上の構成からなる内容物放出操作阻止用ストッパーおよび内容物放出操作機構をその対象そしている。
【００１８】
また、これらの内容物放出操作阻止用ストッパーや内容物放出操作機構を備えたポンプ式製品およびエアゾール式製品もその対象としている。
【発明の効果】
【００１９】
本発明はこのように、
(11)内容物放出操作阻止用ストッパーを内容物放出操作機構の筒状部に取り付けた状態を凹状部および凸状部の係止作用により保持しているので、着脱操作片部を単に引っ張るだけではこの保持状態が解除されることもなく、内容物放出操作阻止の確実化を図ることができ、
(12)この保持状態解除の際に利用者は、複数の着脱操作片部をそれぞれの自由端側同士を互いに近づけるといった簡単な変位操作を行えばよいので、内容物放出操作阻止用ストッパーの内容物放出操作機構からの取外し操作に際しての利便性を確保でき、
(13)内容物放出操作阻止用ストッパーの取付け対象である筒状部の外周面の周方向全体に、当該ストッパーとの係止作用部が形成されているので、利用者が当該ストッパーを当該筒状部に取り付ける際に相互の回動位置関係を格別気にする必要はなく、当該ストッパーの内容物放出操作機構への取付け操作に際しての利便性も確保される。
【図面の簡単な説明】
【００２０】
【図１】ストッパーをステム保護筒状部に取り付けたとき、すなわち利用者の押下げ操作部に対する内容物放出操作が「不能」であるときを示す説明図であり、(a)はそのときのストッパーおよびステム保護筒状部などの斜視状態を示し、(b)はストッパー自体の初期形状を示し、(c)は図１(a)のトッパーおよびステム保護筒状部の係止部分などの断面状態を示している。
【図２】図１(a)のストッパーをはステム保護筒状部から取り外したとき、すなわち利用者の押下げ操作部に対する内容物放出操作が「可能」なときを示す説明図であり、(a)はそのときのストッパーおよびステム保護筒状部などの斜視状態を示し、(b)は図２(a)の取外し操作の第一段階といえる、ストッパーのＣ字状被係止部を十分に拡開湾曲させたときの、ストッパーおよびステム保護筒状部などの断面状態を示している。
【発明を実施するための形態】
【００２１】
図１および図２を用いて本発明を実施するための最良の形態を説明する。
【００２２】
上述したように、本発明はポンプ式製品およびエアゾール式製品の双方を対象としているが、以下の図１および図２に基づく記載では、単なる説明の便宜上、ポンプ式製品を前提としている。
【００２３】
なお、各図で用いるアルファベット付き参照番号の構成要素（例えばノズル１ａ）は原則として、当該参照番号の数字部分の構成要素（例えば押下げ操作部１）の一部であることを示している。
【００２４】
図１および図２において、
１は上下動タイプの内容物放出操作用の押下げ操作部，
１ａは当該押下げ操作部の内容物放出側に取り付けられたノズル、
２は押下げ操作部１の下端側部分に嵌合して当該押下げ操作部と上下方向に連動し、内容物通過用の内部空間域を備えた周知のステム（ピストン），
３は放出対象の各種内容物が収容されている容器本体、
４は容器本体上側の開口首状部に螺合しているネジキャップ、
５は当該ネジキャップの上面部分に、製品組立て後のステム２を取り囲む態様で一体成形された円筒部分からなるステム保護筒状部（押下げ操作部１の上下方向の移動空間域に対応した筒状部），
５ａは当該ステム保護筒状部の外周面の周方向にいわば間歇的に連続形成された、凹Ｖ字状横断面からなる複数の縦溝状部（凹状部からなる係止作用部）、
６はステム保護筒状部５の外周面に取り付けられたときその上端面部分が押下げ操作部１の下端面部分と当接または対向接近して、押下げ操作部１が下方の作動モード位置へと移動しないようにする、すなわち当該押下げ操作部の内容物放出操作を「不能」とするための内容物放出操作阻止用ストッパー，
６ａはＣ字状横断面からなり、後述の着脱操作片部６ｅに対する利用者の変位操作に基づいて初期形状から変形拡開湾曲し、当該変位操作の解除によって初期形状に復帰する可撓性状（弾性状）のもので、ステム保護筒状部５との係止状態が選択的に設定されるＣ字状被係止部、
６ｂはＣ字状被係止部６ａの前側に設定された上下方向の前開口部分，
６ｃは前開口部分６ｂの両端側それぞれの上下方向にいわば前広がりの態様（前方ほど離間した状態）で形成された一対の係止用片部（Ｃ字状被係止部の自由端側），
６ｄは係止用片部６ｃそれぞれの後端側に形成されて、利用者がストッパー６をステム保護筒状部５に略最大限挿し込んだときの対応各位置における縦溝状部５ａそれぞれとの係止作用を呈する、凸Ｖ字状横断面からなる一対の縦凸状部（係止作用部に対応した凸状部からなる被係止作用部），
６ｅはＣ字状被係止部６ａの後述の前後方向基準平面Ｐと略平行に、かつ、当該Ｃ字状被係止部の最大径外周面部分から後方向に延びる態様で形成されて、当該Ｃ字状被係止部と連動した形の変位・復帰性状（可撓性，弾性）を備えた一対の着脱操作片部，
をそれぞれ示している。
【００２５】
また、
Ａは一対の着脱操作片部６ｅを互いに近づけてＣ字状被係止部６ａを十分に拡開湾曲させる、例えばストッパー６をステム保護筒状部５の方に挿し込むときにその縦凸状部６ｄがそれぞれ当該ステム保護筒状部の外周面（縦溝状部５ａ）に当接しない程度まで拡開湾曲させる、ときの変位操作方向，
Ｂは一対の着脱操作片部６ｅのＡ方向への変位操作によりＣ字状被係止部６ａが拡開湾曲していく方向，
ＰはＣ字状被係止部６ａ（および一対の着脱操作片部６ｅ）の面対称中心である前後方向基準平面，
をそれぞれ示している。
【００２６】
ここで、複数の縦溝状部（凹状部）５ａそれぞれの凹Ｖ字状横断面の底角の仮想二等分線は略ステム保護筒状部５の中心軸へと向かう形になっている。
【００２７】
また、縦溝状部５ａそれぞれの凹Ｖ字状横断面の底角の大きさは縦凸状部６ｄそれぞれの凸Ｖ字状横断面の頂角の大きさと略同じである。
【００２８】
以上の各構成要素はポリプロピレン，ポリエチレン，ポリアセタール，ナイロン，ポリブチレンテレフタレートなどからなるプラスチック製のものである。
【００２９】
図１および図２の内容物放出操作阻止用ストッパーおよび内容物放出操作機構の基本的特徴は、
(21)利用者が、内容物放出操作阻止用ストッパー６の後側部分である一対の着脱操作片部６ｅをそれぞれ内側のＡ方向に変位させることにより、当該ストッパーの前側部分であるＣ字状被係止部６ａの全体がその前後方向基準平面Ｐを中心にして拡開湾曲する方向に変形し、
その結果、前開口部分６ｂはその横幅がステム保護筒状部５の外径近くまたはそれ以上の長さとなるまで拡開し（図２参照）、
(22)利用者がこの着脱操作片部６ｅの変位操作を止めると、Ｃ字状被係止部６ａはその変形状態が解除されて変位操作前の初期形状に復帰し、
(23)内容物放出操作阻止用ストッパー６がステム保護筒状部５に取り付けられたとき、当該ストッパーの一対の縦凸状部６ｄ（係止用片部６ｃの後端部分）がそれぞれ当該ステム保護筒状部外周面の別々の縦溝状部５ａに係止される、
ことである。
【００３０】
すなわち、先ず利用者が、内容物放出操作阻止用ストッパー６の二個の着脱操作片部６ｅを把持して内側のＡ方向に変形させ、そしてこれと連動するＣ字状被係止部６ａの前開口部分６ｂをＢ方向に十分拡開させる。
【００３１】
なお、「十分拡開」とは、前開口部分６ｂの横幅がステム保護筒状部５の外径近くまたはそれ以上の長さとなるまで拡開することを示している。
【００３２】
続いてこの把持，拡開湾曲状態の内容物放出操作阻止用ストッパー６を、その係止対象である係止用片部６ｃの側から、ステム保護筒状部５に挿し込んでいく。
【００３３】
このとき、内容物放出操作阻止用ストッパー６の前開口部分６ｂが十分に拡開湾曲しているので、当該ストッパーはスムーズにステム保護筒状部５に挿し込まれる。
【００３４】
次に利用者は、Ｃ字状被係止部６ａをステム保護筒状部５に最後まで挿し込んだ後、すなわち当該Ｃ字状被係止部の前開口部分６ｂとは反対側のいわば底部分が当該ステム保護筒状部の外周面に当接してから、各着脱操作片部６ｅのそれまでの把持を解除する。
【００３５】
この把持解除の操作により、それまで互いに近づく内側方向に変位していた一対の着脱操作片部６ｅが、また拡開湾曲していたＣ字状被係止部６ａがそれぞれの可撓性（弾性）に基づいて、初期形状（図１(b)参照）に復帰する。
【００３６】
その結果、一対の着脱操作片部６ｅは平行状態となり、Ｃ字状被係止部６ａはステム保護筒状部５の外周面に当接する。
【００３７】
この当接状態のとき、Ｃ字状被係止部６ａの一対の縦凸状部６ｄがそれぞれステム保護筒状部５の縦溝状部５ａの一つに係止されている。
【００３８】
ここでの縦凸状部６ｄの係止相手となる特定の縦溝状部５ａは、その上記底角の仮想二等分線が当該縦凸状部それぞれの凸Ｖ字状横断面の頂角の仮想二等分線と略一致する位置の縦溝状部である。
【００３９】
そのため、Ｃ字状被係止部６ａの一対の縦凸状部６ｄそれぞれとステム保護筒状部５の縦溝状部５ａとの一対一対応の係止状態は確実に保持される。
【００４０】
この係止状態の内容物放出操作阻止用ストッパー６をステム保護筒状部５から取り外す場合、利用者は、当該ストッパーの二個の着脱操作片部６ｅを内側のＡ方向に変形させてＣ字状被係止部６ａの前開口部分６ｂをＢ方向に十分拡開させた状態で、当該ストッパーを後方に引き出せばよい。
【００４１】
なお、このストッパー引き出しに際して前開口部分６ｂが十分拡開するまで着脱操作片部６ｅをＡ方向に変形させなくてもよい。
【００４２】
例えば図１(c)の縦凸状部６ｄと縦溝状部５ａとの一対一対応の係止状態を単に解除するだけでもよい。すなわち当該解除後の内容物放出操作阻止用ストッパー６を後方に引き出す際、縦凸状部６ｄがそれまでの係止縦溝状部よりも後側の縦溝状部に当接する形でもよい。
【００４３】
それは、この当接対象である後側縦溝状部それぞれの凹Ｖ字状横断面底角の仮想二等分線の向きが、縦凸状部６ｄの凸Ｖ字状横断面頂角の仮想二等分線のそれからずれているためである。このずれにより、縦凸状部６ｄは当該後側縦溝状部に完全に入り込んでしまうことなく外方に変位，拡開しながら当該後側縦溝状部を乗り越えていく。
【００４４】
このときＣ字状被係止部６ａは、概略、先ずその係止用片部６ｃ（縦凸状部６ｄ）がステム保護筒状部５の最大外径部分にいたるまで拡開し、その後、縦凸状部６ｄが当該ステム保護筒状部の外周面にいわば倣いながら当該Ｃ字状被係止部自らの可撓性（弾性）により元の形状へと復帰していく。
【００４５】
なお、これと同様の乗越え動作は、内容物放出操作阻止用ストッパー６のＣ字状被係止部６ａをＢ方向へ十分拡開せずに、当該ストッパーがステム保護筒状部５に挿し込まれる場合にも生じる。
【００４６】
このように、利用者が内容物放出操作阻止用ストッパー６をステム保護筒状部５に挿し込む場合、また当該ストッパーを当該ステム保護筒状部から取り外す場合のいずれにおいても、Ｃ字状被係止部６ａ（前開口部分６ｂ）の拡開の程度は任意でよい。
【００４７】
ただ、内容物放出操作阻止用ストッパー６の取外し操作の場合には、少なくともその縦凸状部６ｄとステム保護筒状部５の縦溝状部５ａとの一対一対応の係止状態を確実に解除することが必要である。
【００４８】
また、利用者が内容物放出操作阻止用ストッパー６をステム保護筒状部５に挿し込む場合の途中、また当該ストッパーを当該ステム保護筒状部から取り外す場合の途中で、Ｃ字状被係止部６ａ（前開口部分６ｂ）の拡開の程度を変更してもよい。
【００４９】
内容物放出操作阻止用ストッパー６をステム保護筒状部５に挿し込んだ図１(a)，(c)の状態では、押下げ操作部１の筒状底面部分とＣ字状被係止部６ａの筒状上面部分が当接または近接しているので、利用者の押下げ操作部１に対する押下げ操作は不能である。
【００５０】
この指し込み状態の内容物放出操作阻止用ストッパー６がステム保護筒状部５から取り外されると勿論、周知の内容物放出操作が可能である。
【００５１】
すなわち押下げ操作部１およびこれと一体のステム２が押し下げられると、容器本体３のハウジング内部に設けられている吐出し弁が開いて、これと吸込弁との間の貯留域に流入済みの内容物がノズル１ａから外部空間域に放出される。
【００５２】
なお、上述したように本発明はエアゾール式製品にも適用され、その場合、
(31)内容物放出操作が行われていない静止モードにおいて、マウンティングキャップと押下げ操作部との間にいわば露出しているステム外周面に内容物放出操作阻止用ストッパー６を取り付ける、
(32)ステム保護筒状部５を備えたカバー体をエアゾール容器やそのマウンティングキャップにあらかじめ嵌合保持した状態の静止モードにおいて、内容物放出操作阻止用ストッパー６を当該ステム保護筒状部の外周面に取り付ける、
などすればよい。
【００５３】
本発明が以上の実施形態に限定されないこと勿論であり、例えば、
(41)ステム保護筒状部５の縦溝状部５ａに代えて凸Ｖ字状横断面からなる縦凸状部を用い、かつ内容物放出操作阻止用ストッパー６の縦凸状部６ｄに代えて凹Ｖ字状横断面からなる縦溝状部を用いる、
(42)ステム保護筒状部５を設けずに、当該ステム保護筒状部に対応するステム２の外周面部分に縦溝状部５ａ，上記(41)の縦凸状部などを形成し、これと、内容物放出操作阻止用ストッパー６の縦凸状部６ｄ，上記(41)の縦溝状部などとを係止させる、
(43)縦溝状部５ａ，縦凸状部６ｄやこれらに代わる上記(41)，(42)の縦凸状部，縦溝状部などとして、半球状のものや、横断面形状が台形状，円弧状のものを用いる。
(44)縦溝状部５ａ，縦凸状部６ｄやこれらに代わる上記(41) ，(42)，(43)の縦凸状部，縦溝状部を図示の上下方向（縦方向）ではなく横方向（周方向），斜め方向に形成する、
ようにしてもよい。
【００５４】
本発明が適用されるポンプ式製品やエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，栄養補助食品（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００５５】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００５６】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５７】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５８】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００５９】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６０】
高分子化合物としては、メチルセルロース，ゼラチン，デンプン，カゼイン，ヒドロキシエチルセルロース，キサンタンガム，カルボキシビニルポリマーなどを用いる。
【００６１】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００６２】
さらに、上記内容物以外の、懸濁剤，紫外線吸収剤，乳化剤，保湿剤，酸化防止剤、金属イオン封鎖剤なども用いることができる。
【００６３】
エアゾール式製品の内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００６４】
１：押下げ操作部
１ａ：ノズル
２：ステム（ピストン）
３：容器本体
４：ネジキャップ
５：ステム保護筒状部
５ａ：凹Ｖ字状横断面からなる複数の縦溝状部（凹状部）
６：内容物放出操作阻止用ストッパー
６ａ：Ｃ字状被係止部
６ｂ：上下方向の前開口部分
６ｃ：一対の係止用片部
６ｄ：凸Ｖ字状横断面からなる一対の縦凸状部、
６ｅ：一対の着脱操作片部
Ａ：変位操作方向
Ｂ：Ｃ字状被係止部６ａが拡開湾曲していく方向
Ｐ：前後方向基準平面
【図１】
2013018503.tif 000003
【図２】
2013018503.tif 000004